(57)【要約】【課題】駆動系部品保護のため出力トルク制限を行いかつ所定の解除操作に応じて出力トルク制限を解除するとともに出力トルク制限解除の再実施可否を適切に判定する車両用パワートレーン制御装置を提供する。【解決手段】走行用動力源の出力トルクを制御する車両用パワートレーン制御装置１００を、所定の走行条件時に出力トルクを要求トルク入力手段の操作量に関わらず所定の制限トルク以下に制限する出力トルク制限手段と、出力トルク制限の解除操作が入力される解除操作入力手段１０７と、前回の出力トルク制限解除実行後の経過期間を検出する経過期間検出手段とを備え、出力トルク制御手段は解除操作が入力されかつ要求トルク入力手段の操作量が所定値以上である場合に、所定のトルク制限解除期間にわたって出力トルク制限を解除しその後再開するとともに、前回の出力トルク制限解除実行後の経過期間が所定未満でありかつ車両が所定の旋回又は減速状態を経験しない場合は前記出力トルク制限の解除を禁止する構成とする。【選択図】図１
2011214410.tif 000002
【特許請求の範囲】
【請求項１】
ドライバによって操作される要求トルク入力手段の操作量に応じて走行用動力源の出力トルクを制御する車両用パワートレーン制御装置であって、
所定の走行条件時に前記出力トルクを前記要求トルク入力手段の操作量に関わらず所定の制限トルク以下に制限する出力トルク制限手段と、
出力トルク制限の解除操作が入力される解除操作入力手段と、
前回の出力トルク制限解除実行後の経過期間を検出する経過期間検出手段とを備え、
前記出力トルク制御手段は、前記解除操作入力手段に前記出力トルク制限の解除操作が入力されかつ前記要求トルク入力手段の操作量が所定値以上である場合に、所定のトルク制限解除期間にわたって前記出力トルク制限を解除しその後前記出力トルク制限を再開するとともに、
前回の出力トルク制限解除実行後の経過期間が所定未満である場合は前記出力トルク制限の解除を禁止すること
を特徴とする車両用パワートレーン制御装置。
【請求項２】
車両の旋回状態、減速状態の少なくとも一方に基いて走行状態変化を判定する走行状態判定手段を備え、
前記出力トルク制御手段は、前回の出力トルク制限解除実行後に前記走行状態判定手段が前記走行状態変化を判定しない場合は前記出力トルク制限の解除を禁止すること
を特徴とする請求項１に記載の車両用パワートレーン制御装置。
【請求項３】
ドライバによって操作される要求トルク入力手段の操作量に応じて走行用動力源の出力トルクを制御する車両用パワートレーン制御装置であって、
所定の走行条件時に前記出力トルクを前記要求トルク入力手段の操作量に関わらず所定の制限トルク以下に制限する出力トルク制限手段と、
出力トルク制限の解除操作が入力される解除操作入力手段と、
車両の旋回状態、減速状態の少なくとも一方に基いて走行状態変化を判定する走行状態判定手段を備え、
前記出力トルク制御手段は、前記解除操作入力手段に前記出力トルク制限の解除操作が入力されかつ前記要求トルク入力手段の操作量が所定値以上である場合に、所定のトルク制限解除期間にわたって前記出力トルク制限を解除しその後前記出力トルク制限を再開するとともに、
前回の出力トルク制限解除実行後に前記走行状態判定手段が前記走行状態変化を判定しない場合は前記出力トルク制限の解除を禁止すること
を特徴とする車両用パワートレーン制御装置。
【請求項４】
前記トルク制限解除期間は、駆動系部品の疲労蓄積度合いを表すパラメータが所定値以下である期間であること
を特徴とする請求項１から請求項３までのいずれか１項に記載の車両用パワートレーン制御装置。
【請求項５】
前記パラメータは、前記出力トルク制限の解除を開始した後の経過時間、前記出力トルク制限の解除を開始した後の車両の走行距離、前記出力トルク制限の解除を開始した後の駆動系部品の累積回転数、の少なくともいずれか一つであること
を特徴とする請求項４に記載の車両用パワートレーン制御装置。
【発明の詳細な説明】
【技術分野】
【０００１】
本発明は、自動車等の車両の走行用動力源であるエンジン等を制御する車両用パワートレーン制御装置に関し、特に駆動系保護等のためエンジン等の出力トルクを制限するものに関する。
【背景技術】
【０００２】
自動車等の車両は、エンジン等の走行用動力源の出力を、変速機によって増減速した後、ＡＷＤトランスファ、前後ディファレンシャル、ドライブシャフト等の駆動系を介して駆動輪を駆動している。
従来、過度な入力トルクから変速機等の駆動系部品を保護する目的で、所定の運転条件時にエンジン等の出力トルクを制限することが提案されている。
【０００３】
例えば、特許文献１には、加速時や発進時にドライバの出力要求に応じて出力トルクを増大可能にするとともに、駆動系の耐久性を確保することを目的として、通常時には変速機の各変速段におけるトルク上限値を通常走行に必要十分な程度に設定するとともに、アクセル開速度が所定値以上である場合には、急加速が要求されているものとしてトルク制限を所定時間にわたって緩和又は解除することが記載されている。
【先行技術文献】
【特許文献】
【０００４】
【特許文献１】特開平１１−１０１１４２号公報
【発明の概要】
【発明が解決しようとする課題】
【０００５】
しかし、特許文献１に記載された技術のように、アクセル開速度で判定するドライバの加速要求のみでトルク制限を解除した場合には、ドライバがアクセルペダルの急な踏込みを繰り返すことによって頻繁にトルク制限解除が行われ、駆動系部品の疲労蓄積が過大となることが懸念される。
これに対し、例えばドライバが所定のトルク制限解除操作を入力した場合にのみトルク制限を解除することが考えられる。これによれば、ドライバが意図せず頻繁に出力トルク制限解除が行われることがないため、駆動系の耐久性という観点からは有利である。
【０００６】
しかし、この場合にしても、一旦出力トルク制限の解除が実行された後、何の制限もなく次回の出力トルク制限の解除が可能であると、頻繁に出力トルク制限の解除が行われて駆動系保護の実効性が損なわれてしまう。
本発明の課題は、駆動系部品保護のため出力トルク制限を行いかつ所定の解除操作に応じて出力トルク制限を解除するとともに出力トルク制限解除の再実施可否を適切に判定する車両用パワートレーン制御装置を提供することである。
【課題を解決するための手段】
【０００７】
本発明は、以下のような解決手段により、上述した課題を解決する。
請求項１の発明は、ドライバによって操作される要求トルク入力手段の操作量に応じて走行用動力源の出力トルクを制御する車両用パワートレーン制御装置であって、所定の走行条件時に前記出力トルクを前記要求トルク入力手段の操作量に関わらず所定の制限トルク以下に制限する出力トルク制限手段と、出力トルク制限の解除操作が入力される解除操作入力手段と、前回の出力トルク制限解除実行後の経過期間を検出する経過期間検出手段とを備え、前記出力トルク制御手段は、前記解除操作入力手段に前記出力トルク制限の解除操作が入力されかつ前記要求トルク入力手段の操作量が所定値以上である場合に、所定のトルク制限解除期間にわたって前記出力トルク制限を解除しその後前記出力トルク制限を再開するとともに、前回の出力トルク制限解除実行後の経過期間が所定未満である場合は前記出力トルク制限の解除を禁止することを特徴とする車両用パワートレーン制御装置である。
これによれば、前回の出力トルク制限解除実行後の経過期間が所定未満である場合には出力トルク制限の解除が禁止となることから、頻繁に出力トルク制限解除が行われることを防止し、駆動系を適切に保護することができる。
請求項２の発明は、車両の旋回状態、減速状態の少なくとも一方に基いて走行状態変化を判定する走行状態判定手段を備え、前記出力トルク制御手段は、前回の出力トルク制限解除実行後に前記走行状態判定手段が前記走行状態変化を判定しない場合は前記出力トルク制限の解除を禁止することを特徴とする請求項１に記載の車両用パワートレーン制御装置である。
これによれば、出力トルク制限解除の再実行には旋回状態又は減速状態を必要とすることによって、例えば高速直線走行のような単調な走行パターンにおいて出力トルク制限解除が繰り返されることを防止し、駆動系をより適切に保護することができる。
【０００８】
請求項３の発明は、ドライバによって操作される要求トルク入力手段の操作量に応じて走行用動力源の出力トルクを制御する車両用パワートレーン制御装置であって、所定の走行条件時に前記出力トルクを前記要求トルク入力手段の操作量に関わらず所定の制限トルク以下に制限する出力トルク制限手段と、出力トルク制限の解除操作が入力される解除操作入力手段と、車両の旋回状態、減速状態の少なくとも一方に基いて走行状態変化を判定する走行状態判定手段を備え、前記出力トルク制御手段は、前記解除操作入力手段に前記出力トルク制限の解除操作が入力されかつ前記要求トルク入力手段の操作量が所定値以上である場合に、所定のトルク制限解除期間にわたって前記出力トルク制限を解除しその後前記出力トルク制限を再開するとともに、前回の出力トルク制限解除実行後に前記走行状態判定手段が前記走行状態変化を判定しない場合は前記出力トルク制限の解除を禁止することを特徴とする車両用パワートレーン制御装置である。
【０００９】
請求項４の発明は、前記トルク制限解除期間は、駆動系部品の疲労蓄積度合いを表すパラメータが所定値以下である期間であることを特徴とする請求項１から請求項３までのいずれか１項に記載の車両用パワートレーン制御装置である。
これによれば、駆動系部品の疲労蓄積度合いに応じてトルク制限解除期間を設定することによって、駆動系部品をより適切に保護することができる。
請求項５の発明は、前記パラメータは、前記出力トルク制限の解除を開始した後の経過時間、前記出力トルク制限の解除を開始した後の車両の走行距離、前記出力トルク制限の解除を開始した後の駆動系部品の累積回転数、の少なくともいずれか一つであることを特徴とする請求項４に記載の車両用パワートレーン制御装置である。
これによれば、管理の容易性や必要とされる精度等に応じて駆動系部品の疲労蓄積度合いを管理するパラメータを選択することによって、駆動系部品をより適切に保護することができる。
【発明の効果】
【００１０】
本発明によれば、駆動系部品保護のため出力トルク制限を行いかつ所定の解除操作に応じて出力トルク制限を解除するとともに出力トルク制限解除の再実施可否を適切に判定する車両用パワートレーン制御装置を提供することができる。
【図面の簡単な説明】
【００１１】
【図１】本発明を適用した車両用パワートレーン制御装置の実施例の構成を示す模式的ブロック図である。
【図２】図１の車両用パワートレーン制御装置のオーバーテイク制御（出力トルク制限解除制御）を示すフローチャートである。
【図３】図１の車両用パワートレーン制御装置における車速及び走行抵抗とオーバーテイク制御継続時間（トルク制限解除時間）との相関を示すグラフである。
【発明を実施するための形態】
【００１２】
本発明は、出力トルク制限により通常走行時における駆動系等の負担を緩和するとともにドライバ要求が強い場合には出力トルクを向上してドライバビリティを向上できる車両用パワートレーン制御装置を提供する課題を、ドライバによりオーバーテイクスイッチが操作されかつ所定のオーバーテイク制御実行条件が充足された場合に、所定期間にわたってトルク上限値を増加させることによって解決した。
【実施例】
【００１３】
以下、本発明を適用した車両用パワートレーン制御装置の実施例について説明する。
本実施例において、走行用動力源は例えば内燃エンジンであり、車両用パワートレーン制御装置は、このエンジン及び補機類を制御するエンジン制御装置である。また、車両は、例えば乗用車等の自動車であって、手動変速機を備えている。
【００１４】
図１は、実施例の車両用パワートレーン制御装置の構成を示す模式的ブロック図である。
図１に示すように、車両は、エンジン１０及び手動変速機２０を備えている。
エンジン１０は、車両の走行用動力源であって、例えば、ターボチャージャ等の過給器付きのガソリンエンジンである。エンジン１０は、電動アクチュエータによって駆動されるスロットルバルブによって吸入空気量を調整し、出力の調整を行う。この電動アクチュエータは、後述するＥＣＵ１００によって制御される。
【００１５】
また、エンジン１０には、クランク角センサ１１が設けられている。クランク角センサ１１は、エンジン１０のクランクシャフトの角度位置を周期的に検出するものである。クランク角センサ１１の出力は後述するＥＣＵ１００に入力され、ＥＣＵ１００はこの出力の推移に基づいてエンジン１０の回転数（回転速度）を算出する。
【００１６】
手動変速機２０は、例えば前進６段、後進１段を有し、エンジン１０の出力を増減速するものである。手動変速機２０は、メインシャフト及びカウンタシャフトを備えている。
メインシャフトは、エンジン１０のクランクシャフトとクラッチ装置を介して接続された入力軸である。
カウンタシャフトは、メインシャフトと平行して配置された出力軸である。メインシャフトとカウンタシャフトとの間には、各変速段のギヤ列を配列して構成された変速機構部が設けられている。
さらに、後進ギヤは、メインシャフトからカウンタシャフトへ駆動力を伝達するアイドラギヤ軸を有して構成される。
各ギヤ列は、メインシャフトに設けられたドライブギヤ、及び、カウンタシャフトに設けられたドリブンギヤを有して構成されている。ドライブギヤ、ドリブンギヤのうち一方はシャフトに対して相対回転可能となっており、シフトレバーと連動するハブスリーブ等の係合要素と係合することによってシャフトにロックされ、当該ギヤ列を完成させるようになっている。
また、手動変速機２０には、潤滑油温を検出する油温センサ２１が設けられている。油温センサ２１の出力は、ＥＣＵ１００に入力される。
【００１７】
また、エンジン１０には、エンジン制御ユニット（ＥＣＵ）１００が設けられている。ＥＣＵ１００は、エンジン１０及びその補機類を統括的に制御するものである。ＥＣＵ１００は、ＣＰＵ等の情報処理手段、ＲＡＭ及びＲＯＭ等の記憶手段、入出力インターフェイス等を有して構成されている。
このＥＣＵ１００は、本発明にいうパワートレーン制御装置の本体部として機能する。
【００１８】
ＥＣＵ１００には、車速センサ１０１、アクセル開度センサ１０２、前後Ｇセンサ１０３、横Ｇセンサ１０４、舵角センサ１０５、シートベルトセンサ１０６等の各種センサ、及び、オーバーテイクスイッチ１０７が接続されている。
車速センサ１０１は、車輪が支持されるハブベアリングハウジングに設けられ、車輪の回転速度に応じた車速パルス信号を出力するものである。ＥＣＵ１００は、車速パルス信号を利用して車両の走行速度（車速）を算出する。また、ＥＣＵ１００は、エンジン１０の回転数と車速センサ１０１が検出する車速とに基いて、手動変速機２０において現在選択されている変速段（シフトポジション）を検出可能となっている。
【００１９】
アクセル開度センサ１０２は、ドライバが加速要求を入力する図示しないアクセルペダルの操作量を検出する位置エンコーダを備えている。アクセルペダルは、本発明にいう要求トルク入力手段である。
ＥＣＵ１００は、アクセル開度センサ１０２の出力に基いて設定されるドライバ要求トルクに、エンジン１０の実出力トルクが近づくように、スロットル開度、吸排気バルブタイミング、点火時期、過給圧等を制御する。また、ＥＣＵ１００は、手動変速機２０等の駆動系部品を保護するため、通常走行時においては、エンジン１０の実出力トルクが各変速段ごとに予め設定されたトルク上限値ＴＬ以下となるように制限するトルク制限制御を行う。すなわち、ドライバ要求トルクがトルク上限値ＴＬを上回る場合には、ＥＣＵ１００は、エンジン１０の実出力トルクがトルク上限値ＴＬとなるようにエンジン１０のスロットルバルブ開度を制御する。このとき、ＥＣＵ１００は、本発明にいう出力トルク制限手段として機能する。
なお、通常走行時におけるトルク上限値Ｔｎは、駆動系部品における最弱部が繰り返し応力を受けたときに、十分な疲労強度が確保されるように設定される。
さらに、ＥＣＵ１００は、例えば追越加速時等のように大きな出力トルクが要求される場合に、ドライバからのオーバーテイク操作に応じて、一時的にトルク上限値ＴＬを増加させるオーバーテイク制御を実行可能である。これについては後に詳しく説明する。
【００２０】
前後Ｇセンサ１０３は、車体に作用する前後方向の加速度を検出するものである。
横Ｇセンサ１０４は、車体に作用する横方向（車幅方向）の加速度を検出するものである。
舵角センサ１０５は、ステアリングホイールの回転入力をステアリングギヤボックスに伝達するステアリングシャフトに設けられ、操舵操作の操作量（舵角）を検出するものである。
シートベルトセンサ１０６は、搭乗者のシートベルト装着有無を検出するものである。
【００２１】
オーバーテイクスイッチ１０７は、追越加速等を行う際に上述したトルク制限解除を一時的に解除するオーバーテイク制御の開始操作（オーバーテイク操作）を、ドライバが入力する解除操作入力手段である。オーバーテイクスイッチ１０７は、例えば運転席周辺のインストルメントパネル等に配置された押しボタンスイッチ等のスイッチを用いることができる。
【００２２】
また、ＥＣＵ１００には、挙動制御ユニット１１０及び環境認識装置１２０が接続されている。
挙動制御ユニット１１０は、車両のアンダーステア状態又はオーバーステア状態を検出した際に、旋回内輪側と外輪側とで制動力差を出すことによって、車両を安定化させる方向へのヨーモーメントを発生させるものである。アンダーステア状態及びオーバーステア状態の検出は、例えば、車速及び舵角等から算出される目標ヨーレートと、図示しないヨーレートセンサによって検出される実際のヨーレートとを比較すること等によって行われる。
【００２３】
環境認識装置１２０は、例えば車両前方に向けて配置された例えばステレオカメラ、ミリ波レーダ等のセンサを備え、先行車両の有無、先行車両の自車両に対する相対位置、先行車両の自車両に対する相対速度等を検出することによって、自車両前方が混雑した状態であるか否かを判定するものである。
【００２４】
次に、本実施例におけるオーバーテイク制御（トルク制限解除制御）について説明する。図２は、本実施例におけるオーバーテイク制御を示すフローチャートである。以下、ステップ毎に順を追って説明する。
【００２５】
＜ステップＳ０１：オーバーテイク制御作動条件充足判断＞
ＥＣＵ１００は、各センサからの入力等に基いて、以下のオーバーテイク制御作動条件の充足有無を判定する。
（１）オーバーテイクスイッチ１０７がオン
（２）アクセル開度１００％
（３）エンジン回転数が所定値以上
（４）手動変速機２０の変速段が２速〜６速（１速、後退ではオーバーテイク制御禁止）
（５）挙動制御ユニット１１０による挙動制御が非作動
（６）手動変速機２０の潤滑油温が所定値以下
（７）横Ｇセンサ１０４が検出する現在の横Ｇが所定値以下
（８）舵角センサ１０５が検出する舵角が所定値以下
（９）勾配が所定値以上（急な降坂路ではオーバーテイク制御禁止）
（１０）搭乗者がシートベルトを装着
（１１）環境認識装置１２０が自車両前方の混雑を検出せず
これら全ての条件が充足された場合は、オーバーテイク制御作動条件が充足したものとしてステップＳ０２に進む。一方、いずれか一つでも充足しない場合は、ステップＳ１１に進む。
なお、手動変速機２０の変速段は、例えば、エンジン回転数と車速との相関に基いて検出したり、あるいは図示しないセンサによって直接検出することができる。
また、路面の勾配は、例えば、車速の推移から車両の加減速状態を検出し、前後Ｇセンサ１０３の出力を加減速状態に応じて補正することによって算出することができる。
【００２６】
＜ステップＳ０２：オーバーテイク制御経験フラグ判断＞
ＥＣＵ１００は、オーバーテイク制御経験フラグのフラグ値Ｆ１＝１であるか判定し、Ｆ１＝１である場合はステップＳ０２に進み、Ｆ１＝０である場合はステップＳ０５に進む。
ここで、オーバーテイク制御経験フラグは、オーバーテイク制御が一旦実行された後、後述するステップＳ０３において判定されるオーバーテイク制御再作動条件が充足されるまでの間はフラグ値Ｆ１が１となり、その他の場合には０となるフラグである。このオーバーテイク制御経験フラグが立っている（Ｆ１＝１）間は、オーバーテイク制御は駆動系保護のため禁止される。
【００２７】
＜ステップＳ０３：オーバーテイク制御再作動条件充足判断＞
ＥＣＵ１００は、以下のオーバーテイク制御再作動条件の充足有無を判定する。
（１）前回オーバーテイク制御終了後からの経過時間タイマ値ｔｅ≧所定値
（２）前回オーバーテイク制御終了後における横Ｇ経験フラグＦ２＝１
ここで、横Ｇ経験フラグは、オーバーテイク制御が一旦実行された直後に０とされ、後述するステップＳ１２において、所定値以上の横加速度が検出された場合には１となるフラグである。
上記２つの条件がともに充足された場合は、オーバーテイク制御再作動条件が充足したものとしてステップＳ０４に進む。一方、いずれか一つでも充足しない場合は、一連の処理を終了（リターン）する。
【００２８】
＜ステップＳ０４：オーバーテイク制御経験フラグリセット＞
ＥＣＵ１００は、上述したオーバーテイク制御経験フラグを、フラグ値Ｆ１＝０としてリセットする。
その後、ステップＳ０５に進む。
【００２９】
＜ステップＳ０５：オーバーテイク制御継続タイマ値判断＞
ＥＣＵ１００は、エンジン１０の出力トルク制限解除の継続時間を計測するオーバーテイク制御継続タイマのタイマ値ｔが０であるか否かを判断し、ｔ＝０である場合はステップＳ０６に進み、ｔ≠０である場合はステップＳ０８に進む。
【００３０】
＜ステップＳ０６：オーバーテイク制御継続時間ｔ１設定＞
ＥＣＵ１００は、現在の車速及び車両の走行抵抗に基いて、オーバーテイク制御継続時間ｔ１を設定する。ＥＣＵ１００は、記憶手段内に車速及び走行抵抗とオーバーテイク制御継続時間ｔ１との相関に関するマップを保持している。
図３は、車速及び走行抵抗と、オーバーテイク制御継続時間ｔ１との相関の一例を示すグラフである。
図３に示すように、オーバーテイク制御継続時間ｔ１は、車速が高くなるのに応じて短縮されるように設定され、また、例えば路面の勾配等に起因する車両の走行抵抗が大きくなるのに応じて延長されるように設定されている。ここで、走行抵抗は、エンジン１０の出力トルク、エンジン１０と駆動輪間のロストルクや効率、変速比、ギヤ比を用いて求めた車両の発生駆動力と、転がり抵抗、空気抵抗、車両の加速抵抗等を用いて算出される。
オーバーテイク制御継続時間ｔ１の設定後、ステップＳ０７に進む。
【００３１】
＜ステップＳ０７：オーバーテイク制御継続タイマスタート＞
ＥＣＵ１００は、上述したオーバーテイク制御継続タイマを起動させ、タイマ値ｔのインクリメントを開始する。
その後、ステップＳ０８に進む。
【００３２】
＜ステップＳ０８：オーバーテイク制御継続タイマ値判断＞
ＥＣＵ１００は、オーバーテイク制御継続タイマのタイマ値ｔを、オーバーテイク制御継続時間ｔ１と比較し、ｔ＜ｔ１である場合はステップＳ０９に進み、ｔ≧ｔ１である場合はステップＳ１１に進む。
【００３３】
＜ステップＳ０９：オーバーテイク制御経験フラグＦ１＝１＞
ＥＣＵ１００は、オーバーテイク制御経験フラグのフラグ値Ｆ１を１とする。
その後、ステップＳ１０に進む。
【００３４】
＜ステップＳ１０：トルク上限値ＴＬ＝制御作動時値Ｔｍａｘ＞
ＥＣＵ１００は、エンジン１０の出力トルク上限値ＴＬを、制限が解除された最大トルクである制御作動時値Ｔｍａｘに設定してエンジン１０の出力制御を行う。
その後、一連の処理を終了（リターン）する。
【００３５】
＜ステップＳ１１：オーバーテイク制御継続タイマ値判断＞
ＥＣＵ１００は、オーバーテイク制御継続タイマのタイマ値ｔが０であるか否かを判断し、ｔ＝０である場合はステップＳ１２に進み、ｔ≠０である場合はステップＳ１４に進む。
【００３６】
＜ステップＳ１２：横Ｇ判断＞
ＥＣＵ１００は、横Ｇセンサ１０４の出力に基いて、車体に所定値以上の横Ｇが作用しているか否かを判断する。
そして、横Ｇが所定値以上である場合は、車両が旋回状態にあるものとしてステップＳ１３に進み、横Ｇが所定値未満である場合はステップＳ１６に進む。
【００３７】
＜ステップＳ１３：横Ｇ経験フラグＦ２＝１＞
ＥＣＵ１００は、前回のオーバーテイク制御終了後に旋回状態を経験したか否かを示すフラグである横Ｇ経験フラグを、フラグ値Ｆ２＝１とすることによって立てる。
その後、ステップＳ１６に進む。
【００３８】
＜ステップＳ１４：制御終了後経過時間タイマ再起動・横Ｇ経験フラグＦ２＝０＞
ＥＣＵ１００は、制御終了後経過時間タイマのタイマ値ｔｅを０としてリセットした後、タイマをスタートしてタイマ値ｔｅのインクリメントを開始する。
また、ＥＣＵ１００は、横Ｇ経験フラグＦ２＝０とする。
その後、ステップＳ１５に進む。
【００３９】
＜ステップＳ１５：オーバーテイク制御継続タイマｔリセット＞
ＥＣＵ１００は、オーバーテイク制御継続タイマのタイマ値ｔを０としてリセットする。
その後、ステップＳ１６に進む。
【００４０】
＜ステップＳ１６：トルク上限値ＴＬ＝通常値Ｔｎ＞
ＥＣＵ１００は、エンジン１０の出力トルク上限値ＴＬを、通常走行時に適用される制限値である通常値Ｔｎ（Ｔｎ＜Ｔｍａｘ）としてエンジン１０の出力制御を行う。
その後、一連の処理を終了（リターン）する。
【００４１】
以上説明した実施例によれば、以下の効果を得ることができる。
（１）ドライバがオーバーテイクスイッチ１０７を操作した場合にのみ、エンジン１０の出力トルク上限値ＴＬを制御作動時値Ｔｍａｘとして、出力トルクの制限を解除することによって、ドライバが意図せず頻繁に出力トルク制限が解除されることがなく、手動変速機２０の変速機構部やその後段のＡＷＤトランスファ、プロペラシャフト、ディファレンシャル、ドライブシャフト等、駆動系部品を保護することができる。
また、ドライバが出力トルク制限の解除を要望する場合には、オーバーテイク操作を行うことによって所定のオーバーテイク制御継続時間ｔ１にわたって出力トルク制限が解除されるため、例えば追越加速時等に良好な加速性能を得ることができる。
（２）エンジン１０の回転数が所定値以上の場合にのみオーバーテイク制御を許可することによって、低回転からの加速で長時間にわたってトルク制限が解除されて駆動系部品に過度な負担がかかることを防止でき、またドライバがシフトダウンすることによって十分な駆動力が得られることからドライバビリティも確保できる。
（３）オーバーテイク制御継続時間ｔ１が車速増加に応じて短縮されることによって、車両が既に高速である場合はトルク制限解除により加速力が向上する時間が短縮され、車速が高くなりすぎることを防止しつつ駆動系部品を保護することができる。
（４）オーバーテイク制御継続時間ｔ１が車両の走行抵抗増加に応じて延長されることによって、例えば登坂路に対して出力トルクを向上する必要性の乏しい平坦路や降坂路ではトルク制限解除時間が短くされ、駆動系部品をより適切に保護することができる。
（５）車両挙動制御が作動しておりタイヤのグリップ力余力が乏しい場合には、オーバーテイク制御を禁止することによって、駆動力が増加して車両の挙動が不安定となることを防止できる。
（６）２速以上の変速段においてのみオーバーテイク制御を許可することによって、変速機構部以降の駆動系部品を１速又は後退時の大トルクから保護することができる。また、低速ギヤでの急加速時には、過給圧が最大値近傍に達する前にエンジン回転数が最大回転数に達してしまうことが多く、仮にオーバーテイク制御を行った場合であっても実益は少ない。
（７）手動変速機２０の潤滑油温が所定値以下の場合にのみオーバーテイク制御を許可することによって、手動変速機２０が高負荷状態である場合にエンジン１０の出力トルク制限を維持して手動変速機２０を保護することができる。
（８）車体に作用する横Ｇが所定値以上である場合にオーバーテイク制御を禁止することによって、旋回中にエンジン１０の出力トルク制限が解除されて駆動力が増加し、車両の挙動が不安定となることを防止できる。
（９）操舵系の舵角が所定値以上である場合にオーバーテイク制御を禁止することによって、旋回中にエンジン１０の出力トルク制限が解除されて駆動力が増加し、車両の挙動が不安定となることを防止できる。
（１０）車速が増加しやすい車両の降坂中にオーバーテイク制御を禁止することによって、エンジン１０の出力トルク制限が解除されてドライバが意図する以上に車速が増加することを防止できる。
（１１）搭乗者がシートベルト非装着時にはオーバーテイク制御を禁止することによって、車両の安全性を向上できる。
（１２）前方車両が混雑している場合にオーバーテイク制御を禁止することによって、追突事故の発生リスクを軽減し、車両の安全性を向上できる。
（１３）前回のオーバーテイク制御からの経過時間が所定時間以上である場合にのみオーバーテイク制御を許可することによって、エンジン１０の出力トルク制限の解除が頻繁に行われることを防止して駆動系部品を保護することができる。
（１４）前回のオーバーテイク制御から所定の旋回状態を経験していない場合にはオーバーテイク制御を禁止することによって、エンジン１０の出力トルク制限の解除が頻繁に行われることを防止して駆動系部品を保護することができる。例えば、コーナーからの立ち上がり加速時にオーバーテイク制御を行った後、直線路で何度もオーバーテイク制御が行われることを防止できる。
【００４２】
（変形例）
本発明は、以上説明した実施例に限定されることなく、種々の変形や変更が可能であって、それらも本発明の技術的範囲内である。
（１）実施例ではオーバーテイク制御継続期間を時間ｔで管理し、所定のオーバーテイク制御継続時間ｔ１を期限としてオーバーテイク制御を解除しているが、これに代えて、あるいはこれと同時に、駆動系部品の疲労蓄積度合いを表現する他のパラメータを用いてもよい。例えば、オーバーテイク制御継続期間を車両の走行距離ｌで管理し、オーバーテイク制御継続時間ｔ１に代わってオーバーテイク制御継続距離ｌ１を期限として設定し、オーバーテイク制御開始後の車両の走行距離ｌがオーバーテイク制御継続距離ｌ１となるまでの間オーバーテイク制御を解除することも可能である。この場合、車両の走行距離ｌは、車速センサ１０１が検出する車速を時間積分すること等により取得できる。また例えば、オーバーテイク制御継続期間を駆動系部品の累積回転数ｎ（単位は回）で管理し、オーバーテイク制御継続時間ｔ１に代わってオーバーテイク制御継続累積回転数ｎ１を期限として設定し、オーバーテイク制御開始後の駆動系部品の累積回転数ｎがオーバーテイク制御継続累積回転数ｎ１となるまでの間オーバーテイク制御を解除することも可能である。この場合、駆動系部品の累積回転数ｎは、エンジン１０の回転数、車速センサ１０１が検出する車速、個々の駆動系部品のギア比を用いて算出した駆動系部品の回転数を時間積分すること等により取得することができる。累積回転数を管理する駆動系部品としては、複数の駆動系部品について個々に管理してもよく、また、駆動系部品の中で最弱部と考えられる駆動系部品についてのみ管理してもよい。走行距離や累積回転数での管理は、時間での管理に比べて演算が複雑になり、またドライバが解除可能期間の残存分を予測しながら運転することもより難しくなる可能性がある。しかしながら、駆動系部品の疲労蓄積度合いを表すパラメータとしては時間よりも直接的であり、より精度の高いトルク制限解除が可能となる。
（２）実施例のパワートレーン制御装置においては、走行用動力源は例えばガソリンエンジンであったが、本発明はこれに限らず、例えばディーゼルエンジン等の他種のエンジンであってもよく、出力調整も例えば燃料噴射量調整、過給圧調整等のスロットル開度以外の手法によって行ってもよい。
（３）走行用動力源は、電動モータや、エンジン−電動モータハイブリッドシステムであってもよく、この場合、出力トルクの制限はシステム全体の出力を調整することによって行われる。
（４）変速機は実施例のような手動変速機に限らず、例えば手動変速機と同様の変速機構をアクチュエータで駆動するＡＭＴや、複数組のクラッチ及び変速機構部を順次切換えて変速を行うＤＣＴ、トルクコンバータ及びプラネタリギヤセットを有するステップＡＴ、ベルト式、チェーン式、トロイダル式等のＣＶＴであってもよい。
（５）出力トルク制限の解除操作が入力されるスイッチは、実施例のような押しボタンスイッチには限らず、他の態様のスイッチであってもよい。
（６）実施例ではアクセル開度が１００％の場合にのみトルク制限解除を許可しているが、これに限らず、アクセル開度が所定の閾値以上であればトルク制限解除を許可するようにしてもよい。
（７）トルク制限解除を実行する所定期間の設定方法は、実施例のものに限定されず適宜変更することができる。
（８）実施例では車体の旋回状態を、横加速度を加速度センサで検出することによって判定しているが、本発明はこれに限定されず他の手法によって旋回状態を検出してもよい。例えば、車速、舵角等の走行状態と予め設定された車両モデルを用いて横Ｇを演算によって求めてもよい。
（９）実施例では車両挙動制御の作動時にタイヤのグリップ余力が少ないものとしてオーバーテイク制御を禁止しているが、タイヤのグリップ余力は他の手法によって検出してもよい。例えば、車速、舵角等の車両の走行状態と、ヨーレート等の車両の実際の挙動や、セルフアライニングトルク（保舵力）等を比較して路面の摩擦係数を推定してもよい。また、駆動輪のホイールスピンまたはその兆候に基いて制駆動力を制御するトラクションコントロール制御の作動時にタイヤのグリップ余力が少ないものと判定してもよい。
（１０）実施例では自車両前方の混雑状況を、ステレオカメラ等を有する環境認識装置によって検出しているが、本発明はこれに限らず、例えばナビゲーション装置等に渋滞情報等を提供する路車間通信システムを用いてもよい。
（１１）実施例では前回のオーバーテイク制御の終了後、所定の旋回状態（高横Ｇ状態）を経験しなければ次回のオーバーテイク制御を許可しないようになっているが、これに代えて、あるいはこれと同時に、所定の減速状態を経験しなければ次回のオーバーテイク制御を許可しないようにしてもよい。例えば、所定の減速Ｇ、車速の変動、ブレーキ操作、アクセル戻し操作等がなければ次回のオーバーテイク制御を許可しない構成としてもよい。このとき、ブレーキ操作は、例えば、ブレーキランプスイッチのオン、ブレーキペダルの操作量、ブレーキ液圧等に基いて検出することができる。
（１２）実施例では前回のオーバーテイク制御の終了後、所定の経過時間ｔｅを経過しなければ次回のオーバーテイク制御を許可しないようになっているが、これに代えて、あるいはこれと同時に、オーバーテイク制御継続期間の管理の変形と同様、車両が所定の走行距離を走行しなければ次回のオーバーテイク制御を許可しないようにしてもよいし、駆動系部品が所定の累積回転数だけ回転しなければ次回のオーバーテイク制御を許可しないようにしてもよい。
【符号の説明】
【００４３】
１０    エンジン                          １１    クランク角センサ
２０    手動変速機                        ２１    油温センサ
１００    エンジン制御ユニット（ＥＣＵ）  １０１    車速センサ
１０２    アクセル開度センサ              １０３    前後Ｇセンサ
１０４    横Ｇセンサ                      １０５    舵角センサ
１０６    シートベルトセンサ              １０７    オーバーテイクスイッチ
１１０    挙動制御ユニット                １２０    環境認識装置
【図１】
2011214410.tif 000003
【図２】
2011214410.tif 000004
【図３】
2011214410.tif 000005